【手続補正書】
【提出日】平成24年3月6日(2012.3.6)
【手続補正１】
【補正対象書類名】特許請求の範囲
【補正対象項目名】全文
【補正方法】変更
【補正の内容】
【特許請求の範囲】
【請求項１】
コンピュータで実行される方法であって、
第１の計算装置によって入力として受信された非言語的ユーザ操作に応答して前記第１の計算装置上に提示された地図に基づいて識別された文脈情報を、コンピュータシステムにおいて受信する段階と、
前記コンピュータシステムによって、前記文脈情報を使用して、前記第１の計算装置の現在の地理的位置から独立している地理的位置を識別する段階と、
前記コンピュータシステムによって、識別された前記地理的位置と関連付けられると共に、識別された前記地理的位置に関連した用語を有する語彙を含む文法を識別する段階と、
前記第１の計算装置に対する音声入力を処理するために使用される文法が識別された前記文法に変更されるように、ユーザからの音声入力の音声認識処理のために、識別された前記文法を選択する際に使用するための文法指示子を出力する段階と
を含み、
前記非言語的ユーザ操作が、前記ユーザが前記第１の計算装置上の前記地図を取得するための要求を行うこと、または、前記ユーザが前記第１の計算装置によって提供されるインタフェースに検索クエリーを入力することを含む
ことを特徴とする方法。
【請求項２】
前記地図の中心における位置を前記地理的位置として選択する段階を更に含む
ことを特徴とする請求項１に記載の方法。
【請求項３】
前記地図のズームレベルに基づいて、前記地理的位置を選択する段階を更に含む
ことを特徴とする請求項２に記載の方法。
【請求項４】
前記非言語的ユーザ操作が、前記ユーザが前記第１の計算装置上の前記地図を取得するための要求を行うことを含み、
前記地図が、前記地理的位置と関連付けられたテキストを含む
ことを特徴とする請求項１に記載の方法。
【請求項５】
前記非言語的ユーザ操作が、前記ユーザが前記第１の計算装置によって提供される前記インタフェースに前記検索クエリーを入力することを含み、
前記検索クエリーが、前記地理的位置と関連付けられたテキストを含む
ことを特徴とする請求項１に記載の方法。
【請求項６】
前記ユーザと関連付けられたユーザ識別子を受信する段階を更に含む
ことを特徴とする請求項１に記載の方法。
【請求項７】
前記ユーザ識別子と関連付けられたユーザ文法を識別する段階と、
前記ユーザからの前記音声入力の音声認識処理のために前記文法を選択する際に使用するためのユーザ文法指示子を、音声認識プロセッサに出力する段階と
を更に含むことを特徴とする請求項６に記載の方法。
【請求項８】
前記ユーザの過去の検索履歴に基づいて、前記ユーザ文法を生成する段階を更に含む
ことを特徴とする請求項７に記載の方法。
【請求項９】
前記ユーザと関連付けられた電子メールに基づいて、前記ユーザ文法を生成する段階を更に含む
ことを特徴とする請求項７に記載の方法。
【請求項１０】
非言語的ユーザ操作のリストを受け取る段階を更に含む
ことを特徴とする請求項１に記載の方法。
【請求項１１】
前記リストに基づいて、アプリケーション文脈を識別する段階と、
前記アプリケーション文脈と関連付けられたアプリケーション文脈文法を識別する段階と
を更に含むことを特徴とする請求項１０に記載の方法。
【請求項１２】
前記ユーザからの音声入力の音声認識処理のために前記文法を選択する際に使用するためのアプリケーション文脈識別子を出力する段階を更に含む
ことを特徴とする請求項１１に記載の方法。
【請求項１３】
前記非言語的ユーザ操作のリストが、アプリケーションの中のユーザのナビゲーションと関連付けられた識別子を含む
ことを特徴とする請求項１０に記載の方法。
【請求項１４】
前記リストが、前記ユーザによって選択されたアプリケーションメニュー項目を含む
ことを特徴とする請求項１３に記載の方法。
【請求項１５】
もし追加の非言語的操作が前記ユーザの新しい関心を意味するならば、前記新しい関心に基づく異なる文法を選択する段階を更に含む
ことを特徴とする請求項１に記載の方法。
【請求項１６】
コンピュータで実行される方法であって、
計算装置によって入力として受信されたユーザ操作に応答して前記計算装置上に提示された地図に基づいて識別された文脈情報を、コンピュータシステムにおいて受信する段階と、
前記コンピュータシステムによって、前記文脈情報に基づいて、地理的位置を取得する段階と、
前記コンピュータシステムによって、前記地理的位置と関連付けられた文法を識別する段階と、
前記計算装置に対する音声入力を処理するために使用される文法が識別された前記文法に変更されるように、ユーザからの音声入力の処理において使用する前記文法を選択する際に使用するための文法識別子を出力する段階と
を含み、
ｉ）前記ユーザ操作が、前記ユーザが前記計算装置上の前記地図を取得するための要求を行うこと、または、前記ユーザが前記計算装置によって提供されるインタフェースに検索クエリーを入力することを含み、そして、ｉｉ）前記ユーザ操作が、音声認識プロセッサによって促されたものではなく、
取得された前記地理的位置が、前記計算装置の現在の地理的位置から独立していると共に、
識別された前記文法が、少なくとも、前記地理的位置に関連した用語を有する語彙を含む
ことを特徴とする方法。
【請求項１７】
コンピュータシステムと、
第１の計算装置によって入力として受信された非言語的ユーザ操作に応答して前記第１の計算装置上に提示された地図に基づいて識別された文脈情報を受信するための、前記コンピュータシステムのインタフェースと、
受信された前記文脈情報から取得された地理的位置と関連付けられた文法を識別するための手段と、
ユーザから受け取られた音声入力を解釈するために使用される文法を識別された前記文法に変更するように構成された、前記コンピュータシステムの音声認識サーバと
を備え、
前記非言語的ユーザ操作が、前記ユーザが前記第１の計算装置上の前記地図を取得するための要求を行うこと、または、前記ユーザが前記第１の計算装置によって提供されるインタフェースに検索クエリーを入力することを含み、
前記文脈情報が、前記第１の計算装置の現在の地理的位置から独立している地理的位置を示すと共に、
識別された前記文法が、少なくとも、識別された前記地理的位置に関連した用語を有する語彙を含む
ことを特徴とするシステム。
【請求項１８】
前記非言語的ユーザ操作が、前記ユーザが前記第１の計算装置上の前記地図を取得するための要求を行うことを含み、前記地図が、識別された前記地理的位置と関連付けられると共に、
前記追加の非言語的操作が、前記ユーザが前記第１の計算装置上に異なる地図を表示するための別の要求を行うことを含み、前記異なる地図が、異なる地理的位置と関連付けられ、
前記意味された前記ユーザの新しい関心が、前記異なる地理的位置に対する関心を含む
ことを特徴とする請求項１５に記載の方法。
【請求項１９】
前記ユーザ操作が、前記ユーザが前記計算装置によって提供される前記インタフェースに前記検索クエリーを入力することを含み、
前記検索クエリーが、前記地理的位置と関連付けられたテキストを含む
ことを特徴とする請求項１６に記載の方法。
【請求項２０】
前記音声認識サーバが、もし追加の非言語的操作が前記ユーザの新しい関心を意味するならば、前記ユーザから受け取られた音声入力を解釈するために、前記新しい関心に基づく異なる文法を使用するように更に構成される
ことを特徴とする請求項１７に記載のシステム。